(57)【特許請求の範囲】
【請求項１】
主回路の電流を検出するアナログ検出回路と、
前記アナログ検出回路に接続されたＡ／Ｄ変換回路と、
前記Ａ／Ｄ変換回路に接続された保護動作を実行する中央処理装置と、
前記中央処理装置の処理によって動作するトリップ接点と、
前記中央処理装置と外部の中央監視装置との通信を行う通信回路とを備え、
前記アナログ検出回路の出力側に、試験装置を接続するための試験用端子を設け、
前記試験用端子は、前記アナログ検出回路の出力側から分岐された電流端子と、
前記トリップ接点から分岐された接点端子と、
前記通信回路から分岐された通信接点とを有することを特徴とするデジタル保護リレー。
【請求項２】
主回路の電流を検出するアナログ検出回路と、
前記アナログ検出回路に接続されたＡ／Ｄ変換回路と、
前記Ａ／Ｄ変換回路に接続された保護動作を実行する中央処理装置と、
前記中央処理装置の処理によって動作するトリップ接点と、
前記中央処理装置と外部の中央監視装置との通信を行う通信回路と、
前記アナログ検出回路の出力側から分岐された電流端子、前記トリップ接点から分岐された接点端子、前記通信回路から分岐された通信接点を有する試験用端子とを備えたデジタル保護リレーの試験装置であって、
前記電流端子に前記アナログ検出回路の出力に相当する試験用信号を入力するとともに、前記通信接点に、時限動作、瞬時動作の整定値を変更する信号を入力し、前記接点端子の動作をチェックすることを特徴とするデジタル保護リレーの試験装置。
【発明の詳細な説明】
【技術分野】
【０００１】
本発明の実施例は、主回路系統の異常を検出して保護動作を行うデジタル保護リレーおよびこれを試験するデジタル保護リレーの試験装置に関する。
【背景技術】
【０００２】
従来、デジタル保護リレーが正常に動作するか否かを試験する場合には、主回路に接続された変流器の出力が入力される入力端子に、試験装置を接続し、保護機能の確認が行われていた（例えば、特許文献１参照。）。
【０００３】
この種のデジタル保護リレーには、図２に示すように、主回路に接続された変流器１の出力が入力される入力端子２が設けられている。入力端子２には、電流を検出するアナログ検出回路３、電流値をアナログ値からデジタル値に変換するＡ／Ｄ変換回路４、検出された電流を処理し保護動作を実行する中央処理装置５が接続されている。
【０００４】
中央処理装置５には、電流の設定値や各種データなどを呼び出し保存するメモリ６、異常などを表示する表示器７、保護する電流値の設定や変更などを行う操作スイッチ８が接続されている。また、主回路に接続された遮断器を動作させるトリップ接点９が接続されている。また、通信回路１０が接続され、保護する電流値の変更やトリップ接点９の動作有無などを外部の中央監視装置に通信できるようになっている。
【０００５】
デジタル保護リレーの試験においては、入力端子２に変流器１の出力に相当する電流を出力する第２の試験装置１１を接続し、時限動作や瞬時動作の確認が行われる。第２の試験装置１１では、通電容量が数十Ａの大容量が必要となる。
【先行技術文献】
【特許文献】
【０００６】
【特許文献１】特開２００９−１７１７２３号公報  （第５ページ、図１）
【発明の概要】
【発明が解決しようとする課題】
【０００７】
上記の従来のデジタル保護リレーにおいては、試験時に、変流器１の出力に相当する数十Ａの試験用電流を通電しなければならないので、第２の試験装置１１が大容量となり、大型化し重量物となる問題があった。また、入力端子２へのリード線の接続も、通電容量を確保する必要から太径のリード線を用いなくてはならず、点検接続作業が困難なものとなっていた。
【０００８】
本発明は上記問題を解決するためになされたもので、試験装置を小容量化し、点検作業を容易にし得るデジタル保護リレーおよびデジタル保護リレーの試験装置を提供することを目的とする。
【課題を解決するための手段】
【０００９】
上記目的を達成するために、本発明のデジタル保護リレーは、主回路の電流を検出するアナログ検出回路と、前記アナログ検出回路に接続されたＡ／Ｄ変換回路と、前記Ａ／Ｄ変換回路に接続された保護動作を実行する中央処理装置と、前記中央処理装置の処理によって動作するトリップ接点と、前記中央処理装置と外部の中央監視装置との通信を行う通信回路とを備え、前記アナログ検出回路の出力側に、試験装置を接続するための試験用端子を設け、前記試験用端子は、前記アナログ検出回路の出力側から分岐された電流端子と、前記トリップ接点から分岐された接点端子と、前記通信回路から分岐された通信接点とを有することを特徴とする。
【図面の簡単な説明】
【００１０】
【図１】本発明の実施例に係るデジタル保護リレーの構成を示す回路図。
【図２】従来のデジタル保護リレーの構成を示す回路図。
【発明を実施するための形態】
【００１１】
以下、図面を参照して本発明の実施例について説明する。
【実施例】
【００１２】
先ず、本発明の実施例に係るデジタル保護リレーを図１を参照して説明する。図１は、本発明の実施例に係るデジタル保護リレーの構成を示す回路図である。なお、図１において、従来と同様の構成部分については、同一符号を付した。
【００１３】
図１に示すように、デジタル保護リレーには、主回路に接続された変流器１の出力が入力される入力端子２が設けられている。入力端子２には、補助変成器からなる電流を検出するアナログ検出回路３、電流値をアナログ値からデジタル値に変換するＡ／Ｄ変換回路４、検出された電流を処理し保護動作を実行する中央処理装置５が接続されている。
【００１４】
中央処理装置５には、電流の設定値や各種データなどを呼び出し保存するメモリ６、異常などを表示する表示器７、保護する電流値の設定や変更などを行う操作スイッチ８が接続されている。また、主回路に接続された遮断器を動作させるトリップ接点９が接続されている。また、通信回路１０が接続され、保護する電流値の変更やトリップ接点９の動作有無などを外部の中央監視装置に通信できるようになっている。
【００１５】
そして、アナログ検出回路３の出力は、分岐されて試験用端子２０を構成する電流端子２１に接続されている。トリップ接点９も分岐され、接点端子２２に接続されている。通信回路１０も分岐され、通信端子２３に接続されている。試験用端子２０には、点検時に、第１の試験装置２４が接続される。第１の試験装置２４は、アナログ検出回路３の出力に相当する電流容量が数Ａのものを用いる。
【００１６】
デジタル保護リレーは、図示しないスイッチギヤの正面扉に取り付けられるが、リレー本体の正面側に試験用端子２０が設けられている。即ち、試験用端子２０は、正面扉の外側に位置する。
【００１７】
試験時には、第１の試験装置２４を試験用端子２０に接続し、電流端子２１に過電流などの試験用信号を入力し、時限動作や瞬時動作などによるトリップ接点９の動作をチェックする。トリップ接点９の動作のチェックは、接点端子２２で行われる。また、通信接点２３に時限動作や瞬時動作などの整定値を変更する信号を入力し、条件を変更することができる。
【００１８】
これにより、第１の試験装置２４は、アナログ検出回路３の出力に相当する容量でよく、小容量、軽量化、小型化することができる。アナログ検出回路３の入出力の容量比は、１／５〜１／２０であり、その割合に比例して小容量とすることができる。また、試験用端子２０は、リレー本体の正面に位置し、リード線の接続作業を容易とすることができる。なお、従来では、入力端子２がリレー本体の背面に設けられていたので、正面扉を開放し、接続作業を行う必要があった。更に、通信接点２３から整定値を変更することができるので、各種のリレーに対応することができる。
【００１９】
上記実施例のデジタル保護リレーによれば、アナログ検出回路３の出力側（Ａ／Ｄ変換回路４では入力側）に、第１の試験装置２４を接続する試験用端子２０を設け、一連の動作試験を行うようにしているので、第１の試験装置２４を小容量とすることができ、点検作業を容易とすることができる。
【符号の説明】
【００２０】
１  変流器
２  入力端子
３  アナログ検出回路
４  Ａ／Ｄ変換回路
５  中央処理装置
６  メモリ
７  表示器
８  操作スイッチ
９  トリップ接点
１０  通信回路
１１  第２の試験装置
２０  試験用端子
２１  電流端子
２２  接点端子
２３  通信端子
２４  第１の試験装置
【図１】
0005627274.tif 000002
【図２】
0005627274.tif 000003